(57)【要約】【課題】簡易にオリジナル記録物と複写物とを識別可能なオリジナル記録物を作製可能な画像形成装置を提供する。【解決手段】画像を形成する記録媒体の第１の面の所定位置に少なくとも１つの第１のマークを形成し、記録媒体の第２の面の所定位置に少なくとも１つの第２のマークを形成する画像形成装置とする。そして、第１のマーク及び第２のマークは、これらを有するオリジナル記録物を画像読み取り手段及び画像形成手段によって複写して得られる複写物の第１の面及び第２の面における第１のマークの複写画像である第１の複写画像及び第２のマークの複写画像である第２の複写画像を指標として複写物であることを判定可能に構成される。【選択図】図５
2007281535.tif 000002
【特許請求の範囲】
【請求項１】
画像形成装置であって、
記録媒体に画像を形成する画像形成手段と、
該画像形成手段により前記記録媒体の第１の面の所定位置に少なくとも１つの第１のマークと、前記記録媒体の第２の面の所定位置に少なくとも１つの第２のマークとを備えるオリジナル記録物を作成するとき、前記第１のマーク及び前記第２のマークを、前記オリジナル記録物を光学的画像読み取り手段及び画像形成手段で複写して得られる複写物の第１の面及び第２の面における前記第１のマーク及び前記第２のマークにそれぞれ対応する第１の複写画像及び第２の複写画像の複写態様が複写物であることの指標となるように形成する複写物識別用マーク形成制御手段と、
を備える、画像形成装置。
【請求項２】
前記指標となる前記複写態様は、以下のいずれかあるいは２種類以上である、請求項１に記載の画像形成装置。
（ａ）前記第１の複写画像の有無と前記第２の複写画像の有無
（ｂ）前記第１の複写画像及び前記第２の複写画像の前記複写物における絶対位置
（ｃ）前記第１の複写画像及び前記第２の複写画像の前記複写物における相対位置
（ｄ）前記第１の複写画像及び前記第２の複写画像の前記複写物における向き
（ｅ）前記複写物の一方の面から視認したときに得られる前記第１の複写画像及び前記第２の複写画像の合成像の形状、模様、色彩及びこれらの組み合わせ
【請求項３】
前記第１のマーク及び前記第２のマークは、前記複写物を一方の面から視認したときの合成像がモアレを形成しない形状の組み合わせである、請求項１又は２に記載の画像形成装置。
【請求項４】
前記第１のマーク及び前記第２のマークは、前記オリジナル記録物の一方の面から視認したときに少なくとも一部が、重複、接触又は所定距離離間している、請求項１〜３のいずれかに記載の画像形成装置。
【請求項５】
前記第１のマークと前記第２のマークとは、鏡像関係にある、請求項１〜４のいずれかに記載の画像形成装置。
【請求項６】
前記第１のマークと前記第２のマークとは、前記オリジナル記録物の一方の面から視認したときに互いに他を相補する相補画像である、請求項１〜５のいずれかに記載の画像形成装置。
【請求項７】
前記第１のマークと前記第２のマークとは、それぞれ補色関係にある色を有している、請求項１〜６のいずれかに記載の画像形成装置。
【請求項８】
前記第１のマークと前記第２のマークとを、前記オリジナル記録物の一方の面から視認した時に得られる前記第１のマークと前記第２のマークの合成像が、形状、模様、色彩及びこれらの組み合わせによって識別力を発揮するように構成する、請求項１〜７のいずれかに記載の画像形成装置。
【請求項９】
前記合成像は、目視によって識別可能なマークを構成する、請求項８に記載の画像形成装置。
【請求項１０】
前記第１のマーク及び前記第２のマークを前記記録媒体に形成するための画像情報を記憶するマーク画像情報記憶手段を備える、請求項１〜９のいずれかに記載の画像形成装置。
【請求項１１】
前記オリジナル記録物上の第１のマーク及び前記第１のマークに関する参照用情報を記憶する参照用情報記憶手段を備える、請求項１〜１０のいずれかに記載の画像形成装置。
【請求項１２】
光学的画像読み取り手段と、
前記オリジナル記録物に形成された前記第１のマークおよび前記第２のマークを光学的画像読み取り手段で読み取って得られる読み取り画像情報に基づいて前記参照用情報を作成する参照用情報作成手段と、
を備える、請求項１１に記載の画像形成装置。
【請求項１３】
前記複写物識別用マーク形成制御手段は、前記参照用情報に基づく参照用マークを前記記録媒体に形成する手段である、請求項１１又は１２に記載の画像形成装置。
【請求項１４】
光学的画像読み取り手段を備え、
判定対象記録物を前記光学的画像読み取り手段で読み取ったときに得られる読み取り画像情報に基づいて前記オリジナル記録物の複写物であるかどうかを判定する複写物判定手段を備える、請求項１１〜１３のいずれかに記載の画像形成装置。
【請求項１５】
前記複写物判定手段は、前記読み取り画像情報と前記参照用情報とに基づいて前記複写態様を含むかどうかを判定する手段である、請求項１４に記載の画像形成装置。
【請求項１６】
光学的画像読み取り手段を備え、
前記画像形成手段は、前記光学的画像読み取り手段により読み取った読み取り画像情報に基づいて画像を形成する手段であり、
複写対象物を前記光学的画像読み取り手段で読み取ったときに得られる読み取り画像情報と前記参照用情報とに基づいて、前記複写対象物が前記オリジナル記録物又はその前記オリジナル記録物由来の複写物であるかどうかを判定するオリジナル記録物等判定手段を備える、請求項１１〜１５のいずれかに記載の画像形成装置。
【請求項１７】
前記オリジナル記録物等判定手段が、前記複写対象物が前記オリジナル記録物又は前記複写物であると判定したとき、前記複写対象物の複写を中止する複写制限制御手段を備える、請求項１６に記載の画像形成装置。
【請求項１８】
前記複写物識別用マーク形成制御手段は、前記第１のマーク及び前記第２のマークのいずれかを少なくとも２個以上形成するよう制御する手段である、請求項１〜１７のいずれかに記載の画像形成装置。
【請求項１９】
前記複写物識別用マーク形成制御手段は、前記２個以上のマークを前記記録媒体の長辺を含むコーナー部に形成するよう制御する手段である、請求項１８に記載の画像形成装置。
【請求項２０】
画像形成装置を用いて記録媒体に画像を形成する画像形成方法であって、
複写制限付き記録物の画像形成命令を前記画像形成装置に出力するステップと、
前記画像形成命令に基づいて、前記画像を形成する前記記録媒体の第１の面の所定位置に少なくとも１つの第１のマークと、前記記録媒体の第２の面の所定位置に少なくとも１つの第２のマークとを備えるオリジナル記録物を作成する画像形成ステップを備え、
前記第１のマーク及び前記第２のマークを、前記オリジナル記録物を光学的画像読み取り手段及び画像形成手段で複写して得られる複写物の第１の面及び第２の面における前記第１のマーク及び前記第２のマークにそれぞれ対応する第１の複写画像及び第２の複写画像の複写態様が複写物であることの指標となるように形成する、方法。
【請求項２１】
前記画像形成ステップは、前記画像を前記第１の面に形成するとともに前記第１のマークを前記第１の面に形成するステップを含む、請求項２０に記載の方法。
【請求項２２】
前記画像形成ステップは、前記第１のマークと前記第２のマークとが予め形成された記録媒体に前記画像を形成するステップを含む、請求項２０に記載の方法。
【請求項２３】
前記オリジナル記録物に形成された第１のマーク及び第２のマークを光学的画像読み取り手段により読み取って得られる読み取り画像情報に基づく参照用情報を作成するステップを備え、
前記画像形成ステップは、前記参照用情報に基づく参照用マークを前記画像が形成される記録媒体に形成するステップを含む、請求項２０〜２２のいずれかに記載の画像形成方法。
【請求項２４】
複写物判定方法であって、
判定対象記録物を光学的画像読み取り手段で読み取って読み取り画像情報を取得するステップと、
前記読み取り画像情報が、所定の第１のマーク及び所定の第２のマークを記録媒体の表裏のそれぞれ所定位置に備えるオリジナル記録物を光学的画像読み取り手段及び画像形成手段で複写して得られる複写物の第１の面及び第２の面における前記第１のマーク及び前記第２のマークにそれぞれ対応する第１の複写画像及び第２の複写画像の複写態様に関する画像情報を有するかどうかを判定する複写物判定ステップと、
を備える、判定方法。
【請求項２５】
オリジナル記録物判定方法であって、
複写対象物を光学的画像読み取り手段で読み取って読み取り画像情報を取得するステップと、
前記読み取り画像情報が、所定の第１のマーク及び所定の第２のマークを記録媒体の表裏のそれぞれ所定位置に備えるオリジナル記録物を光学的画像読み取り手段で読み取って得られる画像情報に基づく前記オリジナル記録物上の第１のマーク及び前記第１のマークに関する参照用情報を有するかどうかを判定するオリジナル記録物判定ステップと、
を備える、判定方法。
【請求項２６】
複写防止用記録媒体であって、
前記記録媒体の第１の面の所定の位置における少なくとも１つの第１のマークと、
前記記録媒体の第２の面の所定の位置における少なくとも１つの第２のマークと、
を備え、
前記第１のマーク及び前記第２のマークは、前記第1のマークと前記第２のマークとをそれぞれ前記所定位置に備えるオリジナル記録物を光学的画像読み取り手段及び画像形成手段で複写して得られる複写物の第１の面及び第２の面における前記第１のマーク及び前記第２のマークにそれぞれ対応する第１の複写画像及び第２の複写画像の複写態様が複写物であることの指標となるように形成されている、記録媒体。
【請求項２７】
画像形成装置を用いて記録媒体に画像を形成するためのプログラムであって、
請求項２０に記載の各ステップを１又は複数のコンピュータに実行させる、プログラム。
【請求項２８】
複写物判定プログラムであって、
請求項２４に記載の各ステップを１又は複数のコンピュータに実行させる、プログラム。
【請求項２９】
オリジナル記録物判定プログラムであって、
請求項２５に記載の各ステップを1又は複数のコンピュータに実行させる、プログラム。
【請求項３０】
画像形成システムであって、
記録媒体に画像を形成する画像形成装置と、
該画像形成装置に画像形成命令を出力する画像形成命令出力装置と、
を備え、
該画像形成装置により前記記録媒体の第１の面の所定位置に少なくとも１つの第１のマークと、前記記録媒体の第２の面の所定位置に少なくとも１つの第２のマークとを備えるオリジナル記録物を作成するとき、前記第１のマーク及び前記第２のマークを、前記オリジナル記録物を光学的画像読み取り手段及び画像形成手段で複写して得られる複写物の第１の面及び第２の面における前記第１のマーク及び前記第２のマークにそれぞれ対応する第１の複写画像及び第２の複写画像の複写態様が複写物であることの指標となるように形成する複写物識別用マーク形成制御手段と、
を備える、画像形成システム。
【発明の詳細な説明】
【技術分野】
【０００１】
本発明は、オリジナル記録物の複写を制限可能な画像形成が可能な画像形成装置、画像形成方法、各種プログラム及び複写防止用記録媒体並びに画像形成システム等に関する。
【背景技術】
【０００２】
従来、種々の理由から、原稿、印刷物など何らかの画像を有する記録媒体についてその複写を制限する必要がある場合がある。近年、スキャナ機能及びプリンタ機能の向上により本来複写されるべきでない画像が容易にかつ精密に複写されるようになってきている。このため、各種の複写防止方法が考案されている。例えば、周期が変化する複数の線から構成されるパターンを重複させてドキュメントの表裏に備えるようにし、偽造がなされたときには、これらのパターンがずれてモアレパターンが形成されるようにした偽造防止パターンが開示されている（特許文献１）。また、スキャナ等による走査方式で読み取って印刷したときには元原稿と記録結果とが大きく相違するような条件での画像形成手段を備える画像形成装置も開示されている（特許文献２）。さらに、紙幣や有価証券などにおける朱色の丸い陰影など特定の円形画像を認識する手段を備え、該特定円形画像を検出したときには、画像形成を停止する画像処理装置が開示されている（特許文献３）。透かしや地紋などの特殊印刷手法などもある。
【特許文献１】特開２００４−１４８８１９号
【特許文献２】特開平１１−６５２０３号
【特許文献３】特開平６−１７８０９８号
【発明の開示】
【発明が解決しようとする課題】
【０００３】
しかしながら、上記したモアレを形成する偽造防止パターンは、記録媒体を透かしたときに表裏のパターンからモアレを検出できる程度の記録媒体の透明性が必要なため、記録媒体の透過性が低い場合には識別性が弱いという問題があり、広く一般的な紙などの記録媒体には適用できない。また、スキャナで走査して印刷したときに元画像と異なるように画像を形成する方法では、印刷プロセスが複雑化してしまう。さらに、特定の画像を認識して偽造を検出するためには、特別の検出手段が必要となる。また、複写防止を目的とする特殊印刷は、いずれも特殊な紙やインク、印刷装置を用いるものである。したがって、画像を有する記録媒体とその複写物とを簡易に識別するのに有効な方法はないのが現状である。
【０００４】
そこで、本発明は、簡易にオリジナル原稿と複写物とを識別可能なオリジナル原稿を作製可能な画像形成装置、画像形成方法、記録媒体を提供することを１つの目的とする。また、本発明は、オリジナル原稿とその複写物とを簡易に識別可能な画像処理装置及び画像処理方法を提供することを他の１つの目的とする。
【課題を解決するための手段】
【０００５】
本発明者らは、上記した課題の少なくとも１つを解決するものとして、以下の手段を採った。
【０００６】
本発明の記録媒体に画像を形成する画像形成装置は、記録媒体に画像を形成する画像形成手段と、
該画像形成手段により前記記録媒体の第１の面の所定位置に少なくとも１つの第１のマークと、前記記録媒体の第２の面の所定位置に少なくとも１つの第２のマークとを備えるオリジナル記録物を作成するとき、前記第１のマーク及び前記第２のマークを、前記オリジナル記録物を光学的画像読み取り手段及び画像形成手段で複写して得られる複写物の第１の面及び第２の面における前記第１のマーク及び前記第２のマークにそれぞれ対応する第１の複写画像及び第２の複写画像の複写態様が複写物であることの指標となるように形成する複写物識別用マーク形成制御手段と、
を備えている。
【０００７】
本発明の画像形成装置によれば、画像が形成された記録媒体の第１の面の所定位置には第１のマークが形成され、第２の面の所定の位置には第２のマークが形成されたオリジナル記録物を得ることができる。そして、このオリジナル記録物における第１のマークと第２のマークとは、こうして得られたオリジナル記録物を光学的画像読み取り手段及び画像形成手段によって複写して得られる複写物の第１の面及び第２の面における第１の複写画像及び第２の複写画像の複写態様が複写物であることの指標となるように形成されている。このため、本発明の画像形成装置が作成したオリジナル記録物が複写されたときには、当該複写物をオリジナル記録物でなく複写物であると容易に判定することができる。したがって、複写制限を効果的に行うことができる。
【０００８】
本発明において、オリジナル記録物とは、少なくとも１つの第１のマークと少なくとも１つの第２のマークとを表裏に備えていればよく、それ以外の画像を必ずしも有していなくてもよい。したがって、これらのマーク以外の、例えば、複写制限される画像を含んでいてもよいし、こうした画像を含んでいなくてもよい。後者の例としては、後述する本発明の複写防止用記録媒体が挙げられる。
【０００９】
本発明の画像形成装置においては、前記指標は、以下のいずれかあるいは２種類以上とすることができる。
（ａ）前記第１の複写画像の有無と前記第２の複写画像の有無
（ｂ）前記第１の複写画像及び前記第２の複写画像の前記複写物における絶対位置
（ｃ）前記第１の複写画像及び前記第２の複写画像の前記複写物における相対位置
（ｄ）前記第１の複写画像及び前記第２の複写画像の前記複写物における向き
（ｅ）前記複写物の一方の面から視認したときに得られる前記第１の複写画像及び前記第２の複写画像の合成像の形状、模様、色彩及びこれらの組み合わせ
【００１０】
これらの（ａ）〜（ｅ）を指標とすることにより、判定対象となる記録物がオリジナル記録物であるか複写物であるかを容易に判定できる。
【００１１】
本発明の画像形成装置においては、前記第１のマーク及び前記第２のマークは、前記複写物を一方の面から視認したときの合成像がモアレを形成しない形状の組み合わせとすることができる。モアレを形成しない合成像とすることで、記録媒体に関わらず判定の容易性を確保することができる。また、目視による判定も容易になる。モアレを容易に検出するには、画像としてある程度のサイズが必要であるとともに、通常の紙などの記録媒体においては、一方の面から視認して得られる合成像としてモアレは検出困難であるからである。
【００１２】
本発明の画像形成装置においては、前記第１のマーク及び前記第２のマークは、前記オリジナル記録物の一方の面から視認したときに少なくとも一部が重複、接触しているとしてもよいし、また、鏡像関係にあるようにしてもよい。さらに、前記第１のマークと前記第２のマークとは、互いに他を相補する相補画像とすることもできるし、前記第１のマークと前記第２のマークとは、それぞれ補色関係にある色を有するものとしてもよい。前記第１のマークと前記第２のマークとが、これらのいずれかあるいは２種類以上の関係を有しているときには、オリジナル記録物におけるマークの関係と複写物における複写画像の関係に相違が現れやすいとともに検出が容易になる。
【００１３】
本発明の画像形成装置においては、前記第１のマークと前記第２のマークとを、前記オリジナル記録物の一方の面から視認した時に得られる前記第１のマークと前記第２のマークの合成像が、形状、模様、色彩及びこれらの組み合わせによって識別力を発揮するように構成することができる。前記第１のマークと前記第２のマークとの合成像が識別力あるマークを形成することで、複写物における前記第１の複写画像と前記第２の複写画像との合成像との区別が容易になる。特に、前記合成像が目視によって識別可能なマークを構成するときには、目視で容易に判定を実施できる。
【００１４】
本発明の画像形成装置においては、前記第１のマーク及び前記第２のマークを前記記録媒体に形成するための画像情報を記憶するマーク画像情報記憶手段を備えることができる。画像形成装置が、こうしたマーク画像情報記憶手段を備えることで、画像形成装置において各種処理が可能となる。
【００１５】
本発明の画像形成装置においては、前記オリジナル記録物上の前記第１のマーク及び前記第１のマークに関する参照用情報を記憶する参照用情報記憶手段を備えることができる。参照用情報を備えることで、例えば、適宜、第１のマーク及び第２のマークを印刷するあるいは画像に表示するあるいはビットマップ情報として参照するなどして利用することができ、より正確な判定が可能となる。
【００１６】
この態様の画像形成装置においては、光学的画像読み取り手段と、前記記録媒体に形成された前記第１のマークおよび前記第２のマークを光学的画像読み取り手段で読み取って得られる読み取り画像情報に基づいて参照用情報を作成する手段と、を備えることができる。こうすることで、オリジナル記録物の作成に先立ってあるいはオリジナル記録物の作成時に参照用情報を容易に取得できる。
【００１７】
また、この態様の画像形成装置においては、前記複写物識別用マーク形成制御手段は、前記参照用情報に基づく参照用マークを前記記録媒体に形成する手段とすることができる。こうすることで、判定対象記録物上に参照用情報に基づく参照用マークがあることになるため、判定時において参照用情報を参照しなくても容易に判定できる。また、目視での判定が容易になる。
【００１８】
また、この態様の画像形成装置においては、光学的画像読み取り手段を備え、判定対象記録物を前記光学的画像読み取り手段で読み取ったときに得られる読み取り画像情報に基づいて前記オリジナル記録物が複写物であるかどうかを判定する複写物判定手段を備えることができる。この画像形成装置の光学的画像読み取り手段で判定対象記録物の画像を読み取って得られる読み取り画像情報を用いることで、オリジナル記録物の複写物であるかどうかを判定できる。例えば、第１のマークがないときには、複写制限付きで形成されたオリジナル記録物とは無関係であるといえ、第１のマークがあり、第２のマークがないときには、オリジナル記録物の複写物であるといえる。また、前記読み取り画像情報と前記参照用情報とに基づいて前記複写態様を含むかどうかを判定する場合には、目視しなくても確実にかつ迅速に判定対象記録物が複写物であるかどうかを判定できる。
【００１９】
本発明の画像形成装置においては、光学的画像読み取り手段を備え、前記画像形成手段は、前記光学的画像読み取り手段により読み取った読み取り画像情報に基づいて画像を形成する手段であり、複写対象物を前記光学的画像読み取り手段で読み取ったときに得られる読み取り画像情報と前記参照用情報とに基づいて、前記複写対象物が前記オリジナル記録物又は前記オリジナル記録物由来の複写物であるかどうかを判定するオリジナル記録物等判定手段を備えることもできる。この画像形成装置によれば、オリジナル記録物であるかどうか不明なときに便利であり、また、前記オリジナル記録物等判定手段が、前記複写対象物がオリジナル記録物又は前記複写物であると判定したとき、前記複写対象物の複写を中止する複写制限制御手段を備えるようにすることで、オリジナル記録物の複写を効果的に防止できる。なお、本明細書において、オリジナル記録物由来の複写物とは、オリジナル記録物の複写物のほか、オリジナル記録物の複写物の複写物やさらに複写を重ねたものを意味している。
【００２０】
本発明の画像形成装置においては、前記複写物識別用マーク形成制御手段は、前記第１のマーク及び前記第２のマークのいずれかを少なくとも２個以上形成するよう制御する手段とすることができる。第１の面又は第２の面において、少なくとも２個以上のマークを形成することで、判定精度を向上させることができる。また、判定対象記録物に対する２個以上のマークの位置に光学的画像読み取り時及び画像形成時などにおける機械的誤差が現われやすいため、複写物の判定が容易になる。この態様の画像形成装置においては、前記オリジナル記録物形成手段は、前記２個以上のマークを前記記録媒体の長辺を含むコーナー部に形成することができる。こうすることで、光学的画像読み取り時及び画像形成時における特に複写媒体のセット位置のずれや搬送方向ずれが現れやすいため、複写物の判定が一層容易になる。
【００２１】
画像形成装置を用いて記録媒体に画像を形成する画像形成方法は、
複写制限付き記録物の画像形成命令を前記画像形成装置に出力するステップと、
前記画像形成命令に基づいて、前記画像を形成する前記記録媒体の第１の面の所定位置に少なくとも１つの第１のマークと、前記記録媒体の第２の面の所定位置に少なくとも１つの第２のマークとを備えるオリジナル記録物を作成する画像形成ステップを備え、
前記第１のマーク及び前記第２のマークを、前記オリジナル記録物を光学的画像読み取り手段及び画像形成手段で複写して得られる複写物の第１の面及び第２の面における前記第１のマーク及び前記第２のマークにそれぞれ対応する第１の複写画像及び第２の複写画像の複写態様が複写物であることの指標となるように形成する、ことを含んでいる。
【００２２】
本発明の画像形成方法によれば、画像が形成された記録媒体の第１の面の所定位置には第１のマークが形成され、第２の面の所定の位置には第２のマークが形成されたオリジナル記録物を得ることができる。このため、上記した本発明の画像形成装置と同様、この画像形成方法によって形成したオリジナル記録物が複写されたときには、これらのマークが複写されて得られる第１及び第２の複写画像によって、当該複写物をオリジナル記録物でなく複写物であると判定することができる。したがって、複写制限を効果的に行うことができる。
【００２３】
本発明の画像形成方法においては、前記画像形成ステップは、前記画像を前記第１の面に形成するとともに前記第１のマークを前記第１の面に形成するステップを含むものとすることができる。こうすることで、簡易に第１のマークを形成することができる。また、前記画像形成ステップは、前記第１のマークと前記第２のマークとが予め形成された記録媒体に前記画像を形成するステップを含んでいてもよい。こうすることで、第１のマーク及び第１のマークを形成する手段を有しない画像形成装置であっても、複写物が判定可能なオリジナル記録物を印刷することができる。
【００２４】
本発明の画像形成方法は、さらに、前記オリジナル記録物に形成された第１のマーク及び第２のマークを光学的画像読み取り手段により読み取って得られる読み取り画像情報に基づく参照用情報を作成するステップを備え、前記画像形成ステップは、前記参照用情報に基づく参照用マークを前記画像が形成される記録媒体に形成するステップを含むものとしてもよい。こうすることで、参照用マークを備えるオリジナル記録物を形成することができる。これにより、判定時において複写物かどうかを容易に判定できる。また、目視での判定が容易になる。
【００２５】
本発明の複写物判定方法は、
判定対象記録物を光学的画像読み取り手段で読み取って読み取り画像情報を取得するステップと、
前記読み取り画像情報が、所定の第１のマーク及び所定の第２のマークを記録媒体の表裏のそれぞれ所定位置に備えるオリジナル記録物を光学的画像読み取り手段及び画像形成手段で複写して得られる複写物の第１の面及び第２の面における前記第１のマーク及び前記第２のマークにそれぞれ対応する第１の複写画像及び第２の複写画像の複写態様に関する画像情報を有するかどうかを判定する複写物判定ステップと、
を備えることができる。
【００２６】
この複写物判定方法によれば、所定の判定対象記録物を光学的画像読み取り手段で読み取って得られる読み取り画像情報が、オリジナル記録物の複写物における第１のマークに対応する第１の複写画像及び第２のマークに対応する第２の複写画像の複写態様に関する画像情報を有するかどうかを判定することにより、判定対象記録物が複写物であるかどうかを判定できる。すなわち、判定対象記録物を光学的に読み取ることで、簡易に複写物かどうかを判定できる。したがって、複写制限を効果的に行うことができる。複写物であるかどうかを判定するには、オリジナル記録物上の前記第１のマークと前記第２のマークとを光学的画像読み取り手段によって読み取って得られる読み取り画像情報に基づく参照用情報を用いてもよい。
【００２７】
本発明のオリジナル記録物判定方法は、
複写対象物を光学的画像読み取り手段で読み取って読み取り画像情報を取得するステップと、
前記読み取り画像情報が、所定の第１のマーク及び所定の第２のマークを記録媒体の表裏のそれぞれ所定位置に備えるオリジナル記録物を光学的画像読み取り手段で読み取って得られる画像情報に基づく前記オリジナル記録物上の第１のマーク及び前記第１のマークに関する参照用情報を有するかどうかを判定するオリジナル記録物判定ステップと、
を備える、判定方法である。
【００２８】
このオリジナル記録物判定方法によれば、複写対象物の読み取り画像情報がオリジナル記録物における第１のマークと第２のマークの態様を有しているかどうかを判定することによって、判定対象物がオリジナル記録物であるかどうかを簡易に判定できる。したがって、複写制限があることを容易に認知できるし、また、通知できる。さらに、複写対象物がオリジナル記録物であるときには、複写中止させるようにしてもよい。
【００２９】
本発明の画像を形成するための複写防止用記録媒体は、
前記記録媒体の第１の面の所定の位置における少なくとも１つの第１のマークと、
前記記録媒体の第２の面の所定の位置における少なくとも１つの第２のマークと、
を備え、
前記第１のマーク及び前記第２のマークは、前記第1のマークと前記第２のマークとそれぞれ前記所定位置に備えるオリジナル記録物を光学的画像読み取り手段及び画像形成手段で複写して得られる複写物の第１の面及び第２の面における前記第１のマーク及び前記第２のマークにそれぞれ対応する第１の複写画像及び第２の複写画像の複写態様が複写物であることの指標となるように形成されている、記録媒体である。
【００３０】
本発明の複写防止用記録媒体によれば、複写物であるかどうかを判定するための指標とすることができる第１のマークと第２のマークとを記録媒体に形成する手段がない画像形成装置を用いた場合であっても、こうしたマークを有し、複写判定が可能なオリジナル記録物を形成することができる。したがって、複写制限を効果的に行うことができる。なお、こうした複写防止用記録媒体にマーク以外の画像を有していてもよく、このような記録媒体（記録物）も複写防止用機能を有している限り、本発明に含まれる。また、複写制限の対象となる画像を有するものも本発明に含まれる。
【００３１】
本発明の画像形成装置を用いて画像を形成するためのプログラムは、
上記した本発明の画像形成方法に含まれる各ステップを１又は複数のコンピュータに実行させるプログラムである。本発明の画像形成プログラムによれば、上記した画像形成方法と同様の作用効果を得ることができる。
【００３２】
本発明の複写物判定プログラムは、
上記した本発明の複写物判定方法に含まれる各ステップを１又は複数のコンピュータに実行させるプログラムである。本発明のプログラムによれば、上記した本発明の複写物判定方法と同様の作用効果を得ることができる。
【００３３】
本発明のオリジナル記録物判定プログラムは、上記した本発明のオリジナル記録物判定方法に含まれる各ステップを１又は複数のコンピュータに実行させるプログラムである。本発明のプログラムによれば、上記した本発明のオリジナル記録物判定方法と同様の作用効果を得ることができる。
【００３４】
なお、以上説明した本発明のプログラムは、コンピュータが読み取り可能な記憶媒体（例えば、ハードディスク、ＲＯＭ、ＦＤ、ＣＤ、ＤＶＤ、チップ）などに記録されていてもよいし、伝送媒体（インターネットやＬＡＮなどの通信網）を介してあるコンピュータから他のコンピュータに配信されたものであってもよいし、その他どのような形態で授受されたものであってもよい。また、このプログラムは、プリンタドライバプログラムとすることもできる。
【００３５】
本発明の画像形成システムは、
記録媒体に画像を形成する画像形成装置と、
該画像形成装置に画像形成命令を出力する画像形成命令出力装置と、
を備え、
該画像形成装置により前記記録媒体の第１の面の所定位置に少なくとも１つの第１のマークと、前記記録媒体の第２の面の所定位置に少なくとも１つの第２のマークとを備えるオリジナル記録物を作成するとき、前記第１のマーク及び前記第２のマークを、前記オリジナル記録物を光学的画像読み取り手段及び画像形成手段で複写して得られる複写物の第１の面及び第２の面における前記第１のマーク及び前記第２のマークにそれぞれ対応する第１の複写画像及び第２の複写画像の複写態様が複写物であることの指標となるように形成する複写物識別用マーク形成制御手段と、
を備える、画像形成システムである。
【００３６】
本発明の画像形成システムによれば、画像が形成された記録媒体の第１の面の所定位置には第１のマークが形成され、第２の面の所定の位置には第２のマークが形成されたオリジナル記録物を得ることができる。そして、このオリジナル記録物における第１のマークと第２のマークとは、こうして得られたオリジナル記録物を画像読み取り手段及び画像形成手段によって複写されて得られる複写物の第１の面及び第２の面における第１の複写画像及び第２の複写画像の複写態様が複写物であることの指標となるように形成している。このため、本システムによって作成されたオリジナル記録物が複写されたときには、当該複写物をオリジナル記録物でなく複写物であると容易に判定することができる。したがって、複写制限を効果的に行うことができる。
【発明を実施するための最良の形態】
【００３７】
次に、本発明について実施形態を挙げて説明する。以下の各実施形態は、本発明の画像形成装置、本発明の複写防止用記録媒体、本発明の画像形成方法及びそのプログラム並びに本発明の複写物判定方法及そのプログラムに関している。
【００３８】
（第１の実施形態）
本実施形態は、スキャナユニット付きカラーレーザープリンタ２０（以下、単に複合機２０というものとする。）とクライアント１２ａ〜１２ｃとを備える画像形成システムである。  図１は、本発明の画像形成装置である複合機２０の概略構成を示すブロック図であり、図２は、複合機２０を含む画像形成システムの構成の概略を示す図である。図１に示すように、複合機２０は、ＬＡＮ（Local Area Network）１０に接続され、複合機２０に印刷ジョブなどの実行命令を出力する印刷ジョブ送信装置としての、複数台のクライアントコンピュータ（以下、単にクライアントという）１２ａ〜１２ｃとを備えている。複合機２０は、ネットワークプリンタとして機能するように図示しないＬＡＮボードを備えている。また、クライアント１２ａ〜１２ｃには、複合機２０が実施する各種の複写制限に関する条件をクライアント１２ａ等で作成する印刷ジョブの作成ルーチンにおいて設定できるようなプログラムがプリンタドライバなどとして予め導入されている。
【００３９】
複合機２０は、複合機２０全体の動作を制御するコントローラ３０を備えている。コントローラ３０は、図１に示すように、ＣＰＵ３１やＲＡＭ３２、ＲＯＭ３３、ＥＥＰＲＯＭ３４等を中心としたマイクロプロセッサとして構成されている。各種入力信号（例えば、クライアントからの印刷ジョブ送信信号やスキャナユニット６０からの画像データ出力信号など）が図示しないインターフェースを介して入力されると、これらの入力信号に基づいて、印刷ユニット４０のプリンタＡＳＩＣ４１に対して印刷実行命令を出力するようになっている。プリンタＡＳＩＣ４１は、印刷実行命令を受信すると、該命令を実行するため、印刷ユニット４０の各部を制御するようになっている。コントローラ３０は、スキャナユニット駆動制御部６１を介してスキャナユニット６０の各部も制御している。
【００４０】
ＲＯＭ３３は、複合機２０の各部を制御して印刷ジョブを実行するプログラムのほか、複合機２０において、後述するマークを用紙１００に対して形成するオリジナル記録物を形成するためのプログラム、参照用マーク合成のためのプログラム及び複写物判定のためのプログラムなどが格納された領域を備えている。また、ＲＯＭ３３は、マークとして使用される各種の画像データが格納された領域を備えている。
【００４１】
ＥＥＰＲＯＭ３４は、不揮発性メモリであって、用紙１００に形成したマークをスキャナユニット６０で読み取った画像データに基づいて形成した参照用マークの画像データが記憶される領域を備えている。
【００４２】
図１及び２に示すように、複合機２０は、単一感光体方式と中間転写方式とを採用したフルカラーの電子写真方式の印刷ユニット４０を有しており、図２に例示するように、シアン（Ｃ）、マゼンタ（Ｍ）、イエロー（Ｙ）、ブラック（Ｋ）の４色に色分解された各色の画像を帯電された感光体４３上にレーザを照射して静電潜像として形成する露光器４２と、装着された各色のトナーカートリッジ４４Ｃ、４４Ｍ、４４Ｙ、４４Ｋから供給される各色のトナーを用いて感光体４３上に形成された静電潜像をトナー像として現像する現像器４４と、感光体４３上に現像された各色のトナー像を転写ベルト４７に重ねて転写してカラートナー像を形成する一次転写ユニット４６と、用紙カセット４９から用紙を搬送する搬送ユニット４８と、搬送された用紙に転写ベルト４７に形成されたカラートナー像を転写する二次転写ユニット５０と、転写されたカラートナー像を用紙に融着定着させて排紙する定着ユニット５２と、ユーザへの各種表示やユーザからの入力操作を行うタッチパネル式のディスプレイ５４とを備えている。
【００４３】
スキャナユニット６０は、図２に示すように、原稿台６２、光学系６４、ＣＣＤラインセンサ６８および信号処理部７０を備えている。光学系６４は、露光ランプ６５と露光ランプ６５が原稿に照射された反射光を反射するミラーを備えるキャリッジ６６と、集光レンズ６７とを備えている。キャリッジ６６は副走査方向に移動可能に形成され、原稿台６２上に配置された原稿上の画像からの反射光を集光して画像をＣＣＤラインセンサ６８上に結像させるようになっている。ＣＣＤラインセンサ６８は、読み取り幅（主走査）方向に配列されて、原稿からの反射光を赤（Ｒ）、緑（Ｇ）、青（Ｂ）の電気信号（アナログ信号）に変換して信号処理部７０に入力するようになっている。また、信号処理部７０では、入力された赤、緑、青のアナログ信号を、Ａ／Ｄコンバータおよびエンコータによって各カラーチャンネルでデジタルデータ化し、このデジタル化された画像データをコントローラ３０のＣＰＵ３１に出力するようになっている。
【００４４】
次に、こうして構成された本実施形態の複合機２０の動作、特に、用紙１００の表面に画像形成命令に係る画像を印刷するとともに、表面及び裏面に対してそれぞれマークを印刷して、複写制限効果のあるオリジナル記録物を印刷する動作について説明する。図３には、クライアント１２ａにおける印刷ジョブ作成ルーチンのフローチャートの一例を示し、図４には、複合機２０がクライアント１２ａから受け取った印刷ジョブの処理ルーチンのフローチャートの一例を示し、図５には、複写制限付きの印刷ジョブによって形成されたオリジナル記録物２００を示し、図６には、図５のオリジナル記録物２００が複合機２０により複写されたときの複写物３００を示す。なお、本実施形態で用いる用紙１００は、一般的な印刷用用紙として市販されている紙質の用紙であり、通常の蛍光灯あるいは太陽光に対して用紙１００を透かして視認することにより容易に反対側の画像を視認することができる程度となっている。
【００４５】
まず、クライアント１２ａにおいて複写制限付きの印刷ジョブが作成される。クライアント１２ａの画像処理アプリケーションで印刷の実行を選択すると、図３に示す印刷ジョブ作成ルーチンが開始される。この処理では、まず、クライアント１２ａのＣＰＵ１３は、ディスプレイにデフォルトの印刷条件設定ウインドウを表示する（ステップＳ１１０）。複写制限以外の印刷条件（本実施形態では、片面印刷が設定されている。）がユーザにより設定されると（ステップＳ１２０）、次いで、ＣＰＵ１３は、複写制限設定ウインドウを表示する（ステップＳ１３０）。ユーザが複写制限を付帯したかどうかを判定し（ステップＳ１４０）、複写制限の付帯が選択されたときには、識別用マーク選択ウインドウを表示し（ステップＳ１５０）、ユーザにより識別用マーク（本実施形態では星型マークであり、実際には左右に分割した２つの識別用マークの組み合わせである。）が選択されると（ステップＳ１６０）、複写制限と選択したマークと付帯した印刷条件を作成してこの処理を終了する（ステップＳ１７０）。一方、複写制限が付帯されなかったときには、複写制限を付帯しない印刷条件を作成及び送信してこの処理を終了する（ステップＳ１８０）。なお、ここで表示される識別用マーク１１０ａ、１１０ｂは、クライアント１２ａ等にプリンタドライバ等によって導入されている複写制限のためのプログラムにおけるものと共通している。
【００４６】
複合機２０は、クライアント１２ａから印刷ジョブを受信すると、図４に示すルーチンを実行する。ＣＰＵ３１は、受信した印刷ジョブに複写制限が付与されているかどうかを判定する（ステップＳ２００）。印刷ジョブが複写制限を伴っているときには、ＣＰＵ３１は、ＲＯＭ３３のマークの格納領域から印刷ジョブによって予め特定された識別用マーク１１０ａを印刷ジョブに係る画像とともに所定位置に印刷するための出力用データを作成し（ステップＳ２１０）、次いで、用紙１００の裏面の所定位置に識別用マーク１１０ｂを印刷するための出力用データを作成する（ステップＳ２２０）。
【００４７】
ここで、識別用マーク１１０ａは、図５に示すように、オリジナル記録物２００の表面の４隅に形成されるものであり、識別用マーク１１０ｂは、同様に図５に示すオリジナル記録物２００の裏面の４隅に形成されるものである。識別用マーク１１０ａは、図５に示すように、星型の右半分の外形を有する黒色で塗りつぶされた画像である。また、識別用マーク１１０ｂは、識別用マーク１１０ａと同一形状の黒色で塗りつぶされた画像である。また、図５（ａ）及び図５（ｂ）に示すように、これらの識別用マーク１１０ａ、１１０ｂは、用紙１００の表裏の４隅において、実質的に重複してはいないものの、その星型の中心線に相当する輪郭部分が一致するように配されており、用紙１００の表裏の一方から他方を透視したときには、完全な一つの星型として視認できるようになっている。すなわち、識別用マーク１１０ａ、１１０ｂは、用紙１００の表裏において互いに補って一つのまとまりある合成像を形成する相補画像の関係を形成している。
【００４８】
こうして印刷ジョブに含まれる最初のページに対応する表裏の出力用データを作成したら、これらの出力用データに基づいて最初のページの印刷実行信号をプリンタＡＳＩＣ４１に出力する（ステップＳ２３０）。ＣＰＵ３１は残余のページがあるかどうかを判定し（ステップＳ２４０）、残余のページについてこの処理を繰り返し（ステップＳ２１０〜ステップＳ２３０）、全てのページの出力用データを作成し印刷実行信号を出力したら、この処理を終了する。一方、印刷ジョブに複写制限が付帯されていなかったときには、通常の出力用データの作成〜出力用データの出力の処理をジョブに含まれる全ページの画像データについて行い（ステップＳ２５０）、この処理を終了する。この印刷ジョブの処理ルーチンによれば、複写制限付き印刷ジョブを受信したとき、図４に示すオリジナル記録物２００を得ることができる。
【００４９】
このオリジナル記録物２００が複合機２０により複写されて得られる複写物３００について説明する。なお、この複写物３００は、オリジナル記録物２００を手動で表裏複写したものとし、表裏複写の際、オリジナル記録物２００の表裏を反転させるだけで、オリジナル記録物２００の用紙方向は変化させないで複写したものとする。複写物３００における識別用マーク１１０ａの複写画像１２０ａとオリジナル記録物における識別用マーク１１０ａとを対比して説明すると、図６（ａ）及び図６（ｂ）に示すように、複写物３００の表面における複写画像１２０ａは、オリジナル記録物２００におけるよりもやや右下方にずれている。また、識別用マーク１１０ｂも複写物３００の裏面において、オリジナル記録物２００におけるよりもやや右下方（表面から見ると左下方となる。）にずれている。この結果、複写物３００の表面から裏面を透視したときには、オリジナル記録物２００において視認されていたまとまりある一つの星型のマークはもはや視認されず、星型が中央で左右に分離した状態のものが視認されるに過ぎない。
【００５０】
以上説明した本実施形態によれば、オリジナル記録物２００を複写して得られる複写物３００における複写画像１２０ａ、１２０ｂの複写態様が複写物であることの指標となるように識別用マーク１１０ａ、１１０ｂを形成している。すなわち、本実施形態は、オリジナル記録物２００では、これらの識別用マーク１１０ａ、１１０ｂの合成像が星型を形成し、複写物３００では星型でない形態となるように形成している。このため、このオリジナル記録物２００が複写されたときには、複写物３００がオリジナル記録物２００でなく複写物３００であると容易に判定することができ、複写制限を効果的に行うことができる。
【００５１】
また、本実施形態によれば、複写画像１２０ａ、１２０ｂの複写態様を指標としていることから、いわゆるコピーのコピーなど、オリジナル記録物２００の複写物３００のさらに複写物３００というように複写の世代が進んでも、複写画像１２０ａ、１２０ｂが複写されれば、確実にオリジナル記録物２００か複写物３００であるかどうかを判定できる。たとえ、複写画像１２０ａ、１２０ｂが薄くなっても複写世代が進むほど、複写による位置ずれが大きくなるため、複写物３００の検出が容易になるからである。これに対し、地紋や透かしなどは、複写世代が進むほど検出精度が低下してしまう。
【００５２】
なお、本実施形態では、特に、識別用マーク１１０ａ、１１０ｂが、用紙１００の表裏を透過して視認したときの合成像が一つのまとまりある星型を形成するように、表裏で互いに相補する相補画像としたため、複写時におけるスキャン誤差による複写物３００における表裏の複写画像１２０ａ、１２０ｂの位置ずれが容易に検出されるようになっている。なお、本実施形態では、複写物３００において、星型が左右に分離するものとしたが、位置ずれの形態は複合機２０におけるスキャナユニット６０等の複写に関連するユニット固有の特性に大きく影響される。また、複写する際の用紙の反転方法によっても異なる。したがって、スキャナユニット毎に位置ずれの形態は異なり、２分割した星型が逆に交差するような位置ずれが複写物３００において生ずる場合もある。
【００５３】
本実施形態では、複写画像１２０ａ、１２０ｂの用紙１００を介して透視したときの１つのまとまりのある星型マークの形状変化を指標としたが、この星型マークの形状変化は、換言すれば、用紙１００における相対位置であるといえる。したがって、複写画像１２０ａ、１２０ｂが星型マークのような識別力のあるマークを形成していない場合であっても、用紙１００を介した両者の相対位置関係を指標として複写物３００かどうかを判定できるといえる。
【００５４】
また、本実施形態では、用紙１００の表裏の四隅にそれぞれ識別用マーク１１０ａと識別用マーク１１０ｂとを形成しているため、例えば、複写による位置ずれが複写時のオリジナル記録物２００や用紙１００の傾きに由来するものであるとき（例えば、表裏自動複写時のときの原稿搬送時における原稿の傾きなど）、複写物３００の一つの辺に沿った２つの隅の複写画像１２０ａ、１２０ｂを観察すると、複写物３００の辺からの距離が異なっているため、容易に複写物３００であると判定できる。特に、長辺に沿った２つの隅の複写画像１２０ａ、１２０ｂに着目することで容易に位置ずれを検出でき複写物３００であると判定しやすい。したがって、用紙１００の長辺に沿った２隅に識別用マーク１１０ａ、１１０ｂを備えることが効果的である。
【００５５】
なお、こうした用紙１００を基準とする複写画像１２０ａ、１２０ｂの位置を判定指標とすることは、複写画像１２０ａ、１２０ｂの用紙１００における絶対位置が判定の指標となることを意味している。すなわち、複写による位置ずれにより、同一サイズの用紙１００に複写画像１２０ａ、１２０ｂが形成された場合であっても、複写画像１２０ａ、１２０ｂの絶対位置はオリジナル記録物２００におけるそれとは異なってくる。このため、複写画像１２０ａ、１２０ｂの絶対位置が本来あるべき位置からずれているときには複写物３００を判定することが可能となる。
【００５６】
なお、本実施形態では、複写画像１２０ａ、１２０ｂが左右に分離して複写される態様を指標として複写物３００であるかどうかを判定したが、これに限定するものではない。例えば、複写画像１２０ａ、１２０ｂの有無を指標としてもよい。例えば、オリジナル記録物２００の本来の画像のある面しか複写しなかったときには、識別用マーク１１０ａは複写画像１２０ａとして存在するが、オリジナル記録物２００の裏面にあったマーク１１０ｂの複写画像１２０ｂは形成されないことになる。したがって、複写画像１２０ａを有し、複写画像１２０ｂを有しないことも複写物３００であるかどうかの指標となる。さらに、複写画像１２０ａ、１２０ｂの用紙１００における向きや相互関係における向きも複写物３００であるかどうかの指標とすることができる。用紙１００における向きは、用紙１００における絶対位置の一例として、相互の向きは、複写画像１２０ａ、１２０ｂの相対位置の一例として把握することもできる。
【００５７】
（第２の実施形態）
次に、本発明の第２の実施形態について説明する。本実施形態は、第１の実施形態と同様の複合機２０とクライアント１２ａ〜１２ｃとを備える画像形成システムである。本実施形態の説明では、複合機２０の動作、特に、用紙１００の表面に画像形成命令に係る画像を印刷するとともに、表面に識別用マークと参照用マーク、裏面に識別用マークを印刷して、複写制限効果のあるオリジナル記録物を印刷する動作について説明する。図７には、複合機２０における参照用マークの作成ルーチンのフローチャートの一例を示し、図８には、参照用マーク形成のために用いるマーク記録物２４０及び参照用マーク１４０を示し、図９には、クライアント１２ａにおける印刷ジョブ作成ルーチンのフローチャートの一例を示し、図１０には、複合機２０がクライアント１２ａから受け取った印刷ジョブの処理ルーチンのフローチャートの一例を示し、図１１には、複写制限付きの印刷ジョブによって形成されたオリジナル記録物２００を示し、図１２には、オリジナル記録物２００の複写物３００を示す。
【００５８】
本実施形態の動作においては、まず、参照用マーク１４０の画像データを形成する。図７に示す参照用マーク形成ルーチンは、ユーザが複合機２０のタッチパネル式ディスプレイ５４で複写制限オプションの参照用マーク作成ツールを選択することで開始される。このルーチンでは、まず、複合機２０のＣＰＵ３１が、ディスプレイ５４に参照用マークの選択ウインドウを表示する（ステップＳ３００）。ウインドウ内には、用紙１００の表裏に印刷される識別用マーク１１０ａ、１１０ｂと、これらの識別用マーク１１０ａ、１１０ｂによって形成されるであろう参照用マーク１４０が表示される。なお、本実施形態においても第１の実施形態と同様に、ここで表示される識別用マーク１１０ａ、１１０ｂは、クライアント１２ａ等にプリンタドライバ等によって導入されている複写制限のためのプログラムにおけるものと共通している。
【００５９】
ユーザが一つのセット（識別用マーク１１０ａ、１１０ｂと参照用マーク１４０）を選択すると（ステップS３０５）、ＣＰＵ３１は、識別用マーク１１０ａ、１１０ｂを用紙１００の表裏の４隅に印刷する印刷の実行信号を送信し（ステップＳ３１０）、用紙１００の表裏の所定位置に選択された識別用マーク１１０ａ、１１０ｂ（ここでは横向き（右向き）の塗りつぶしの三角形とその鏡像）を印刷してマーク記録物２４０を作成する。
【００６０】
次いで、ＣＰＵ３１は、印刷の終了を検知すると（ステップＳ３３０）、ユーザに、得られたマーク記録物２４０の表裏を、複合機２０のスキャナユニット６０によって読み取ることを要請するウインドウを表示する（ステップＳ３４０）。ユーザがマーク記録物２４０の表裏読み取り操作を複合機２０に行わせると、ＣＰＵ３１は、スキャンユニット６０から読み取り情報を取得する（ステップＳ３５０）。ＣＰＵ３１は、さらに、取得した読み取り画像情報に基づいて、各識別用マーク１１０ａ、１１０ｂの用紙１００における絶対位置（用紙１００の端縁を座標軸としたときの座標における位置）を取得し、対応する裏面の識別用マーク１１０ｂの絶対位置を用紙１００の幅又は長さの数値を利用して用紙１００の表面側から視認したときの絶対位置に変換して、４隅の識別用マーク１１０ａに変換した４隅の識別用マーク１１０ｂを重ねて合計４つの参照用マークを合成する（ステップＳ３６０）。そして、この合成した４つの参照用マーク１４０を識別用マーク１１０ａ、１１０ｂとともにＥＥＰＲＯＭ３４の参照用マークの格納領域に格納して（ステップＳ３７０）、この処理を終了する。
【００６１】
ここで、図８（ａ）（ｂ）に示すように、マーク記録物２４０においては、表裏の４隅でほぼ完全に重複するように識別用マーク１１０ａ、１１０ｂが形成されている。そして、この結果、マーク記録物２４０の表面から他方を透視するように視認したときには、各識別用マーク１１０ａに各識別用マーク１１０ｂが重なって、両者の合成像は、いずれも識別用マーク１１０ａに一致した状態となっている。図８（ｃ）に、こうして得られた合成像に基づく参照用マーク１４０を識別用マーク１１０ａの左隣に配置した状態を示す。
【００６２】
次に、クライアント１２ａにおいて複写制限付きの印刷ジョブが作成される。クライアント１２ａの画像処理アプリケーションで印刷の実行を選択すると、図９に示す印刷ジョブ作成ルーチンが開始される。この処理では、まず、クライアント１２ａのＣＰＵ１３は、ディスプレイにデフォルトの印刷条件設定ウインドウを表示する（ステップＳ４００）。複写制限以外の印刷条件（本実施形態では、片面印刷が設定されている。）がユーザにより設定されると（ステップＳ４１０）、次いで、ＣＰＵ１３は、複写制限設定ウインドウを表示する（ステップＳ４２０）。ユーザが複写制限を付帯したかどうかを判定し（ステップＳ４３０）、複写制限の付帯が選択されたときには、識別用マークの選択ウインドウを表示し（ステップＳ４４０）、ユーザにより識別用マーク（本実施形態ではいずれも横向き三角のマーク）１１０ａ、１１０ｂの選択がなされると（ステップ４５０）、次いで、参照用マーク１４０の付加の有無を問い合わせて（ステップＳ４６０）、最終的に、識別用マーク１１０ａ、１１０ｂと参照用マーク１４０の付加の有無についての情報を含んだ複写制限を付帯した印刷条件を作成してこの処理を終了する（ステップＳ４７０）。一方、複写制限が付帯されなかったときには、複写制限を付帯しない印刷条件を作成してこの処理を終了する（ステップＳ４８０）。
【００６３】
複合機２０は、クライアント１２ａから印刷ジョブを受信すると、図１０に示すルーチンを実行する。ＣＰＵ３１は、受信した印刷ジョブに複写制限が付与されているかどうかを判定する（ステップＳ５００）。印刷ジョブが複写制限を伴っているときには、ＣＰＵ３１は、ＲＯＭ３３の識別用マークの格納領域から印刷ジョブによって予め特定された識別用マーク１１０ａを読み出し、参照用マーク１４０の付加がある場合には、ＥＥＰＲＯＭ３４の参照用マークの格納領域から参照用マーク１４０を読み出して、印刷ジョブに係る画像とともに所定位置に識別用マーク１１０ａと参照用マーク１４０とを印刷するための出力用データを作成し（ステップＳ５１０）、次いで、用紙１００の裏面の所定位置に識別用マーク１１０ｂを印刷するための出力用データを作成する（ステップＳ５２０）。
【００６４】
なお、識別用マーク１１０ａ、１１０ｂは、用紙１００の４隅に表裏で重複するように印刷されるとともに、図８（ｃ）に示すように、４個の参照用マーク１４０は、それぞれ用紙１００の４隅の各識別用マーク１１０ａの左隣り又は右隣りに印刷される。
【００６５】
こうして印刷ジョブに含まれる最初のページに対応する表裏の出力用データを作成したら、これらの出力用データに基づいて最初のページの印刷実行信号をプリンタＡＳＩＣ４１に出力する（ステップＳ５３０）。ＣＰＵ３１は残余のページがあるかどうかを判定し（ステップＳ５４０）、残余のページについてこの処理を繰り返し（ステップＳ５１０〜ステップＳ５４０）、全てのページの出力用データを作成し印刷実行信号を出力したら、この処理を終了する。一方、印刷ジョブに複写制限が付帯されていなかったときには、識別用マークや参照用マークの出力を伴わない通常の出力用データの作成〜出力用データの出力の処理をジョブに含まれる全ページの画像データについて行い（ステップＳ５５０）、この処理を終了する。この印刷ジョブの処理ルーチンによれば、図１１に示すオリジナル記録物２００を得ることができる。
【００６６】
このオリジナル記録物２００が複合機２０により複写されて得られる複写物３００について説明する。本実施形態においても、第１の実施形態と同様に、複写物３００における複写画像１２０ａ、１２０ｂは、いずれもそれが形成された表面において右下方にずれ、この結果、図１２に示すように、複写物３００の表面から裏面を透視したときには、オリジナル記録物２００において視認されていた一つの横向き三角形マークは、左右にずれて、横向き三角形が重なったようなものが視認されるようになっていた。また、複写物３００の複写画像１２０ａの近傍には、参照用マーク１４０の複写画像１５０が形成されているが、この画像自体はオリジナル記録物２００における参照用マーク１４０と同じ横向き三角形状となっている。
【００６７】
以上説明した本実施形態によれば、識別用マーク１１０ａ、１１０ｂを、これらの識別用マークを印刷したオリジナル記録物２００を複写して得られる複写物３００における識別用マークの複写画像１２０ａ、１２０ｂの複写態様が複写物３００であることの指標となるように形成している。さらに、複写物３００であることの判定をさらに容易にするために、識別用マーク１１０ａの近傍に予め参照用マーク１４０を形成している。参照用マーク１４０は、オリジナル記録物２００における識別用マーク１１０ａ、１１０ｂの合成像である。このため、このオリジナル記録物２００が複写されたときには、複写画像１２０ａ、１２０ｂとの合成像と参照用マーク１４０の複写画像１５０とを対比することで、複写物３００がオリジナル記録物２００でなく複写物であると一層容易に判定することができ、複写制限を効果的に行うことができる。
【００６８】
また、本実施形態では、識別用マーク１１０ａ、１１０ｂが、用紙１００の表裏を透過して視認したときの合成像が重複して識別用マーク１１０ａ（表面からみたとき）に重複するように識別用マーク１１０ａ、１１０ｂを正像とその鏡像という関係としたため、複写時におけるスキャン誤差による複写物３００における表裏の複写画像１２０ａ、１２０ｂの位置ずれが容易に検出されるようになっている。なお、本実施形態においても、第１の実施形態と同様、複写物３００における複写画像１２０ａ、１２０ｂの位置ずれは種々の態様となり、その結果、その合成像の態様も様々である。
【００６９】
また、本実施形態では、用紙１００の表裏の四隅にそれぞれ参照用マーク１４０を形成したため、精度の高い複写物３００かどうかの判定が可能となっている。
【００７０】
なお、既に説明した第１の実施形態及び第２の実施形態においては、識別用マーク１１０ａ、１１０ｂは、表裏で星型などの所定形状を構成する相補画像や鏡像関係にあるものを用いたがこれに限定するものではない。多様な相補画像のマークや鏡像関係にある識別用マークを用いることができる。また、識別用マーク１１０ａ、１１０ｂは、文字、数字、記号、図形のいずれかあるいはこれらの組み合わせとすることができるが、好ましくは、複写用に用いられる一般的な紙質の用紙１００において、室内昼光レベル等の適当な光量の下、用紙１００を透視したときに、視認する側の紙面の識別用マーク１１０ａと反対側の紙面の識別用マーク１１０ｂとの関係を正確に確認できる程度の大きさや色、形状、模様を備えていることが好ましい。したがって、例えば、用紙１００を透視したときに、一定のあるいは変化する周期で形成された線の集合体やドットが一定の又は変化する密度で形成された集合体など、線やドットが表裏で干渉したときモアレ縞を生じるような識別用マークを用いないことが好ましい。モアレが生じてしまうと、合成像の重複程度や合成像に形成される隙間など、本発明において複写物３００と判定するための指標の一部となりうる複写画像の合成像における特徴を見分けにくくなるからである。好ましくは、識別用マーク１１０ａ、１１０ｂは、線状体の集合やドットの集合体でなく、塗りつぶし又は輪郭線によって一つのまとまりとして目視で容易に確認できる程度の大きさ、形状を有している。
【００７１】
また、識別用マーク１１０ａ、１１０ｂは、同一形状であってもよいし、異なる形状であってもよい。必要に応じ、複写画像３００であることの指標となりやすい形状の組み合わせを選択することができる。例えば、識別用マーク１１０ａ、１１０ｂを鍵と鍵穴等の形態とすることもでき、オリジナル記録物２００において鍵が閉まった状態となるように構成してもよい。さらに、識別用マーク１１０ａ、１１０ｂは、大きさが異なっていてもよいし、同一であってもよい。例えば、識別用マーク１１０ａを塗りつぶしした小径の円とし、識別用マーク１１０ｂを輪郭線で形成したより大径の円とし、オリジナル記録物２００において、同心円状になるように構成してもよい。さらにまた、識別用マーク１１０ａ、１１０ｂは、同一色であってもよいし、異なる色であってもよい。識別用マーク１１０ａを目立たなくするには、用紙１００の表面には薄い色で識別用マーク１１０ａを形成することができる。さらに、異なる色とする場合、識別用マーク１１０ａ、１１０ｂは補色関係にある色をそれぞれ有することができる。こうすることで、例えば、表裏で重複した部分にグレー色の合成像を得ることができる。この場合、用紙１００の表面に薄い色（例えば、黄色など）の識別用マーク１１０ａを配し、裏面に濃色（例えば、紫色など）の識別用マーク１１０ｂを配することで、表面の識別用マーク１１０ａを目立ち難くしながら、表裏の重複部分を利用して複写物３００を容易に判定できる。
【００７２】
また、識別用マーク１１０ａ、１１０ｂは、それぞれ単一の構成要素で構成されるのに限定されないで、それぞれ独立して２以上の構成要素含むことができる。多構成要素とすることで、複写画像１２０ａ、１２０ｂによる複写物３００の判定も容易になるとともに精度が向上する。
【００７３】
各種の形状、色、大きさなどの組み合わせからなる識別用マーク１１０ａ、１１０ｂは、オリジナル記録物２００の一方の面から視認したとき、近接して視認できる位置関係にあることが好ましいが、少なくとも一部が重複していることがより好ましい。一部が重複していることで、これらの複写画像１２０ａ、１２０ｂにおける重複量の増大や減少や重複位置の変化などによって、表裏の複写画像１２０ａ、１２０ｂの形状や大きさ等が識別用マーク１１０ａ、１１０ｂのそれと大きく相違することになるため、複写物３００の判定が容易になる。また、両者を対比したときにおいては一層判定が容易である。また、識別用マーク１１０ａ、１１０ｂは、同様にオリジナル記録物２００の一方の面から視認したとき、接触していることも好ましい。ここで、接触しているとは、両者が接触しているかあるいは両者間に隙間を実質的に視認しない程度に近接していることをいうものとする。識別用マーク１１０ａ、１１０ｂがこうした関係であると、複写画像１２０ａ、１２０ｂにおける接触状態あるいは近接状態の変化によって、複写画像１２０ａ、１２０ｂの間に隙間ができたりするので、容易に複写物３００を判定できる。
【００７４】
さらに、識別用マーク１１０ａ、１１０ｂは、オリジナル記録物２００の一方の面から視認したときに、両者が予め定めた一定距離（例えば、１ｃｍ）離れているように形成してもよい。こうすることで、複写画像１２０ａ、１２０ｂ間の距離が１ｃｍを超えていたり、１ｃｍ未満になっていたりしたときには、この判定対象記録物は複写物３００であると容易に判定できる。
【００７５】
さらにまた、識別用マーク１１０ａを一定間隔を置いた二つの図形Ａ、Ｂから構成し、識別用マーク１１０ｂを、オリジナル記録物２００を一方の面から視認したときに、図形Ｂと一定間隔を置いて配されるように構成し、オリジナル記録物２００においては、図形Ａ、Ｂ間の距離と図形Ｂと識別用マーク１１０ｂとの距離が同一になるようにしておくことができる。こうすることで、複写画像１２０ａ中の図形Ａ、Ｂ間距離を１つの指標とし、図形Ｂと複写画像１２０ｂとの間の距離が図形Ａ、Ｂ間距離よりも小さくなったり大きくなったりしたときには、複写物３００として判定できるようになる。
【００７６】
以上説明したように、オリジナル記録物２００における識別用マーク１１０ａ、１１０ｂは、一方の面から視認したときに両者の形状、模様、色彩及びこれらの組み合わせによって識別力のある識別用マークを構成することが好ましい。こうした識別用マークは目視で識別可能であって、目視によって複写画像３００であるかどうかを判定できるものであることが好ましい。
【００７７】
なお、本実施形態においては、複合機２０において、参照用マーク１４０を形成するものとしたが、クライアント１２ａ等から複合機２０を作動させ、読み取り画像情報を取得して参照用マーク１４０を形成し、クライアント１２ａのコンピュータにおいて参照用マークを参照用情報として記憶するようにしてもよい。このように、参照用マーク１４０をクライアント１２ａ側で保持する場合には、クライアント１２ａ等において参照用マークの画像データをハードディスクなどに保持することが好ましい。こうすることで、クライアント１２ａからの印刷ジョブの送信時に、本来形成しようとする画像に付加する識別用マーク１１０ａ、１１０ｂと参照用マーク１４０についての画像データも複合機２０に併せて送信することができる。
【００７８】
（第３の実施形態）
次に、本発明の第３の実施形態について説明する。本実施形態は、第１の実施形態と同様の複合機２０とクライアント１２ａ〜１２ｃとを備える画像形成システムである。本実施形態の説明では、複合機２０の動作、特に、表裏の所定位置に識別用マークと参照用マークが印刷された記録物（判定対象記録物）が複写物であるかどうかを判定する動作について説明する。図１３には、複合機２０における複写物判定ルーチンのフローチャートの一例を示す。
【００７９】
本実施形態の動作における複写物判定ルーチンは、複合機２０のディスプレイ５４において複写制限オプションの複写物判定ツールを選択することによって開始される。まず、ＣＰＵ３１は、判定対象記録物についての表裏スキャン操作を要求するウインドウをディスプレイ５４に表示する（ステップＳ６００）。ユーザが判定対象記録物を所定位置にセットしてスキャンスタートが選択されると（ステップＳ６１０）、ＣＰＵ３１はスキャナユニット６０を駆動させて判定対象物の表裏をスキャンして表裏の読み取り画像情報を取得する（ステップＳ６２０）。次いで、取得した読み取り画像情報について、複合機２０が識別用マーク１１０ａ、１１０ｂとして用いる画像の有無を判定する（ステップＳ６３０）。識別用マーク１１０ａ、１１０ｂの有無の判定は、例えば、判定対象記録物の４隅など複合機２０が識別用マーク１１０ａ、１１０ｂを形成する部位などの画像データを抽出し、ＲＯＭ３３に格納されている識別用マーク１１０ａ、１１０ｂの画像データと対比することによって行うことができる。
【００８０】
判定対象記録物が識別用マーク１１０ａ、１１０ｂを有しているときには、表裏それぞれの読み取り画像情報に基づいて、参照用マークの作成と同様にして表裏の合成像を形成する（ステップＳ６４０）。そして、得られた合成像とＥＥＰＲＯＭ３４に格納されている参照用マーク１４０とを対比して（ステップＳ６５０）、判定対象記録物から取得した合成像が参照用マーク１４０と一致しない場合には、判定対象記録物は複写物であると判定し、ディスプレイ５４にその表示をして（ステップＳ６６０）、この処理を終了する。
【００８１】
一方、識別用マーク１１０ａ、１１０ｂが存在しないときには、複写制限付きの記録物でないとしてディスプレイ５４に表示して（ステップＳ６７０）、この処理を終了する。また、合成像が参照用マーク１４０と一致するときには、判定対象記録物はオリジナル記録物２００であると判定してその旨をディスプレイ５４に表示して（ステップＳ６８０）、この処理を終了する。
【００８２】
以上説明した本実施形態によれば、複写物３００であるかオリジナル記録物２００であるかが目視により判定が困難な場合であっても、複合機２０に識別用マークとこの識別用マークに対応した参照用マークとが記憶されていることで、複合機２０のスキャナユニット６０によって容易に複写物３００かどうかの判定ができる。このため、複写制限を効果的に行うことができる。また、本実施形態によれば、オリジナル記録物２００かどうかも判定することができる。
【００８３】
なお、本実施形態では、判定対象記録物における識別用マーク１１０ａ、１１０ｂの合成像と参照用マークとを対比することで判定したが、識別用マーク１１０ａ、１１０ｂの合成像以外であっても、スキャナユニット６０で取得した読み取り画像情報に基づいて抽出又は加工できる情報であれば、参照用情報として利用し、これに応じて、判定対象記録物からの読み取り画像情報も加工等すればよい。参照用情報としては、例えば、オリジナル記録物２００における識別用マーク１１０ａ、１１０ｂのそれぞれの絶対位置、識別用マーク１１０ａ、１１０ｂの相対位置、識別用マーク１１０ａ、１１０ｂの向きが挙げられる。
【００８４】
（第４の実施形態）
次に、本発明の第４の実施形態について説明する。本実施形態の画像形成システムは、第１の実施形態と同様の複合機２０とクライアント１２ａ〜１２ｃとを備えている。本実施形態の説明では、複合機２０の動作、特に、複写を目的とする記録物（コピー対象物）が複合機２０のスキャンユニット６０でスキャンされるときに、このコピー対象物がオリジナル記録物２００であるかどうかを判定する動作について説明する。図１４には、複合機２０におけるオリジナル記録物判定ルーチンのフローチャートの一例を示す。
【００８５】
本実施形態の動作におけるオリジナル記録物判定ルーチンは、コピーしようとするコピー対象物をコピー用の原稿カセットにセットし、複合機２０のディスプレイ５４においてコピーボタンを選択することによって開始される。まず、ＣＰＵ３１は、コピー対象物の表裏のスキャン動作を開始するようスキャンユニット６０の制御部６１に制御信号を送信する（ステップＳ７００）。ＣＰＵ３１がスキャンユニット６０において読み取られたコピー対象物の読み取り画像情報を受信すると（ステップＳ７１０）、ＣＰＵ３１は、読み取り画像情報中に、複合機２０が識別用マーク１１０ａ、１１０ｂとして用いる画像の有無を判定する（ステップＳ７２０）。識別用マーク１１０ａ、１１０ｂの有無の判定は、例えば、第３の実施形態と同様にして行うことができる。
【００８６】
コピー対象物が識別用マーク１１０ａ、１１０ｂを有しているときには、表裏それぞれの読み取り画像情報に基づいて、参照用マークの作成と同様にして表裏の合成像を形成する（ステップＳ７３０）。そして、得られた合成像とＥＥＰＲＯＭ３４に格納される参照用マーク１４０とを対比して（ステップＳ７４０）、コピー対象物から取得した合成像が参照用マーク１４０と一致する場合には、コピー対象物はオリジナル記録物２００であると判定し、ディスプレイ５４に、例えば、「この原稿は複写が禁止されています！」などの複写禁止の通知を表示して（ステップＳ７５０）、この処理を終了する。
【００８７】
一方、コピー対象物の読み取り画像情報中に識別用マーク１１０ａ、１１０ｂが存在しないときには、ＣＰＵ３１は、読み取り画像情報に基づく印刷開始命令をプリンタＡＳＩＣ４１に送信して（ステップＳ７６０）、この処理を終了する。また、読み取り画像情報中から抽出した合成像が参照用マーク１４０と一致しないときには、コピー対象物はオリジナル記録物２００由来の複写物３００であると判定して、ディスプレイ５４に「この原稿は複写が禁止されています！」などと複写禁止の通知を表示して（ステップＳ７７０）、この処理を終了する。
【００８８】
以上説明した本実施形態によれば、コピー対象物がスキャンされたときには、読み取り画像情報に基づいてコピー対象物が識別用マーク１１０ａ、１１０ｂを有するかどうかを判定し、さらに、この識別用マーク１１０ａ、１１０ｂがオリジナル記録物２００のものであるかどうか、オリジナル記録物２００由来の複写物３００であるかどうかを判定することができる。そして、オリジナル記録物２００であるとき及びオリジナル記録物２００の複写物３００であると判定されたときには、その複写を禁止することができる。したがって、この複合機２０によれば、オリジナル記録物２００の複写やその複写物３００の複写を監視して効果的に複写を防止できる。特に、オリジナル記録物２００のみならず、複写物３００の複写も禁止できるため、複写物３００の拡散を効果的に防止できる。
【００８９】
以上説明した第１〜第４の実施形態においては、用紙１００に識別用マーク１１０ａ、１１０ｂを形成する印刷ユニット４０及びその制御を行うコントローラ３０が、本発明の複写識別用マーク形成制御手段に相当し、識別用マーク１１０ａ、１１０ｂを用紙１００に形成するための画像データを格納する複合機２０におけるＲＯＭ３３がマーク画像情報記憶手段に相当し、複写物等の判定時に参照する参照用マーク１４０を格納する複合機２０のＥＥＰＲＯＭ３４が、本発明における参照用情報記録手段に相当し、スキャナユニット６０及びこれを制御するコントローラ３０が本発明の光学的画像読み取り手段に相当する。また、複写物であるかどうかの判定ルーチンを実行するコントローラ３０が、本発明の複写物判定手段に相当し、オリジナル記録物であるかどうかの判定ルーチンを実行するコントローラ３０が本発明のオリジナル記録物等判定手段及び複写制限制御手段に相当している。また、参照用情報を作成するのに用いた識別用マーク１１０ａ、１１０ｂを用紙１００に印刷したマーク記録物２４０及びオリジナル記録物２００は、本発明の複写防止用記録媒体及びオリジナル記録物に相当する。
【００９０】
本発明は以上説明した本実施形態に限定されないで種々の態様での実施が可能である。例えば、以上説明した各実施形態においては、複合機２０において予め識別用マーク１１０ａ、１１０ｂに関する情報を保持し、複合機２０のコントローラ３０ないしＣＰＵ３１が識別用マーク１１０ａ、１１０ｂの用紙１００への形成制御、参照用マーク１４０の作成制御、複写物３００の判定制御、オリジナル記録物判定制御、マーク記録物の作成制御等を実行するものとしたが、本発明の画像形成システムや各種プログラム、画像形成方法等の各種方法においては、こうした各種制御は必ずしも複合機２０が実行するものとするのに限定するものではなく、クライアント１２ａ等において複合機２０に対する制御や信号のやり取りを伴って実行するものとしてもよい。さらにまた、こうした制御の一部又は全体をプリンタサーバが実行するものとしてもよい。
【００９１】
また、以上の各実施形態においては、複合機２０における表裏の印刷精度が、用紙１００の表裏にそれぞれ付した識別用マーク１１０ａ、１１０ｂについて意図した識別性あるいは参照用マークの形成が可能な程度であるものとして説明したが、複合機２０の画像形成手段又は表裏印刷精度が必ずしもこうした精度を充足していなくてもよい。例えば、参照用マークの作成によれば、こうした複合機２０における印刷精度の問題を回避することができるし、また、予め表裏の印刷特性によって識別用マーク１１０ａ、１１０ｂの用紙１００への印刷位置を補正するようにしてもよい。
【００９２】
さらに、以上の実施形態では、画像形成装置として、単一感光体方式と中間転写方式を採用した複合機２０について説明したが、色毎に感光体，現像器を持つタンデム方式等の他の構成のプリンタであってもよく、さらに、レーザプリンタに限定されず、インクジェットプリンタなど従来公知の各種方式のプリンタであってもよい。さらに、画像形成装置は、画像形成機能を有していればどういった製品形態であってもよく、コピー機、ファクシミリ装置、複合機等であってもよい。
【００９３】
また、以上の実施形態では、画像形成装置として、スキャナユニット６０を備える複合機２０として説明したが、本発明の画像形成装置にはスキャナユニット６０は必須のものではない。スキャナユニット６０を備えている場合には、画像形成装置において参照用マーク１４０の作成が可能であり、また、複写物の判定やオリジナル記録物の判定を実施可能であるが、参照用マーク等は、予めＲＯＭ等に記憶されていてもよいし、複写物等の判定は、識別用マークを形成する画像形成装置以外にスキャナユニットを有する他の画像形成装置で行うことができるからである。また、以上の実施形態では、スキャナユニットは、表裏スキャンのための用紙搬送手段（用紙反転手段）を備えるものとしては説明していないが、こうした表裏スキャンのための用紙搬送手段を備えるものとしてもよい。
【００９４】
本実施形態では、本発明の一実施形態である画像形成システムないし画像形成装置について主として説明したが、以上の説明により、本発明のほかの実施形態である、画像形成方法、複写物判定方法、オリジナル記録物判定方法、複写防止用記録媒体、画像形成プログラム、複写物判定プログラム、オリジナル記録物判定プログラムの形態としても実施することができる。
【００９５】
以上本発明の実施形態及び各種変形態様について説明したが、本発明はこうした実施形態に何等限定されるものではなく、本発明の要旨を逸脱しない範囲内において、種々なる形態で実施し得る。
【図面の簡単な説明】
【００９６】
【図１】複合機を含む画像形成システムの概略構成を示すブロック図。
【図２】複合機の構成の概略を示す図。
【図３】印刷ジョブ作成ルーチンのフローチャートの一例を示す図。
【図４】印刷ジョブ処理ルーチンのフローチャートの一例を示す図。
【図５】複写制限付きの印刷ジョブによって形成されたオリジナル記録物を示す図。
【図６】オリジナル記録物の複写物を示す図。
【図７】参照用マーク作成ルーチンのフローチャートの一例を示す図。
【図８】参照用マーク形成のために用いるマーク記録物２４０の一例を示す図。
【図９】印刷ジョブ作成ルーチンのフローチャートの一例を示す図。
【図１０】印刷ジョブの処理ルーチンのフローチャートの一例を示す図。
【図１１】参照用マーク付きのオリジナル記録物を示す図。
【図１２】参照用マーク付きのオリジナル記録物の複写物を示す図。
【図１３】複写物判定ルーチンのフローチャートの一例を示す図。
【図１４】オリジナル記録物判定ルーチンのフローチャートの一例を示す図。
【符号の説明】
【００９７】
１０  ＬＡＮ、１２ａ〜１２ｃ  クライアントコンピュータ、１３  クライアント１２ａのＣＰＵ、２０  複合機、３０  コントローラ、３１  ＣＰＵ、３２  ＲＡＭ、３３  ＲＯＭ、３４  ＥＥＰＲＯＭ、４０  印刷ユニット、４１  プリンタＡＳＩＣ、４３  感光体、４４  現像器、４４Ｃ，４４Ｍ，４４Ｙ，４４Ｋ  トナーカートリッジ、４６  一次転写ユニット、４７  転写ベルト、４８  搬送ユニット、４９  用紙カセット、５０  二次転写ユニット、５２  定着ユニット、５４  ディスプレイ、６０  スキャナユニット、６１  スキャナユニット駆動制御部、６２  原稿台、６４  光学系、６６  キャリッジ、６７  集光レンズ、６８  ＣＣＤラインセンサ、７０  信号処理部、１００  用紙、１１０ａ、１１０ｂ  識別用マーク、１２０ａ、１２０ｂ  識別用マークの複写画像、１４０  参照用マーク、１５０  参照用マークの複写画像、２００  オリジナル記録物、２４０  マーク記録物、３００  複写物。
【図１】
2007281535.tif 000003
【図２】
2007281535.tif 000004
【図３】
2007281535.tif 000005
【図４】
2007281535.tif 000006
【図７】
2007281535.tif 000007
【図９】
2007281535.tif 000008
【図１０】
2007281535.tif 000009
【図１３】
2007281535.tif 000010
【図１４】
2007281535.tif 000011
【図５】
2007281535.tif 000012
【図６】
2007281535.tif 000013
【図８】
2007281535.tif 000014
【図１１】
2007281535.tif 000015
【図１２】
2007281535.tif 000016